(57)【要約】【課題】  セパレート・デリバリーによるコンテンツの配信を受ける移動通信端末において、権利オブジェクトを取得した者以外の者によるコンテンツの再生を防止する。【解決手段】  権利オブジェクトの配信を受けて保存するときに、挿入されているＳＩＭカード内のユーザ情報と紐付けて保存する。コンテンツの再生指示があったときは、そのコンテンツに対応する権利オブジェクトが存在するか否かを判定し（Ｓ１１）、存在するときには、現在挿入されているＳＩＭカードから読み出したユーザ情報と、その権利オブジェクトに紐付けられているユーザ情報とを比較し（Ｓ１２、Ｓ１３）、一致しているときにのみ、そのコンテンツを再生する（Ｓ１４）。これにより、権利オブジェクトの配信を受けたユーザ以外のユーザによるコンテンツの再生を防止する。【選択図】  図４
2006074091.tif 000002
【特許請求の範囲】
【請求項１】
セパレート・デリバリーによるコンテンツの配信を受けることができる移動端末装置であって、
制御部と、メモリと、ＳＩＭカードインターフェース部とを有し、
前記制御部は、
権利オブジェクトを受信したときに、該権利オブジェクトを、前記ＳＩＭカードインターフェース部に接続されているＳＩＭカードから読み出したユーザ情報に関連付けて前記メモリに保存し、
コンテンツの再生を指示されたときに、前記ＳＩＭカードインターフェース部に接続されているＳＩＭカードから読み出したユーザ情報と、そのコンテンツに対応する権利オブジェクトに関連付けて記憶されている前記ユーザ情報とが相違しているときは、そのコンテンツの再生を禁止することを特徴とする移動端末装置。
【請求項２】
前記メモリに保存した権利オブジェクトごとに、その権利オブジェクトを受信したときに前記ＳＩＭカードから読み出したユーザ情報を記憶したテーブルを記憶していることを特徴とする請求項１記載の移動端末装置。
【発明の詳細な説明】
【技術分野】
【０００１】
本発明は、セパレート・デリバリーによるコンテンツの配信を受けることができる携帯電話機などの移動端末装置に関する。
【背景技術】
【０００２】
近年、いわゆる第３世代と呼ばれる携帯電話サービスが導入されつつあるが、この第３世代の移動体通信システムにおいては同一の移動端末を世界中で共通に使用することができるように標準化が進められており、ＷＡＰ（Wireless Application Protocol）及びＭＭＳ（Multimedia Messaging Service）の規格が共通仕様として採用されている（非特許文献１）。以下、ＷＡＰ及びＭＭＳ対応の移動端末を単に「ＷＡＰ対応端末」と呼ぶ。
このようなＷＡＰ対応端末においては、OMA DRM（OMA Digital Rights Management）version 1.0に準拠した著作権管理が行われる。OMA DRMは、携帯電話用アプリケーション標準化団体であるオープンモバイルアライアンス（Open Mobile Alliance）が策定したデジタル著作権保護（ＤＲＭ：Digital Rights Management）の仕様である（非特許文献２）。
【０００３】
OMA DRM ver1.0においては、コンテンツの配信方式として、(1) フォワード・ロック（Forward Lock）、(2) コンバインド・デリバリー（Combined Delivery）、及び、(3) セパレート・デリバリー（Separate Delivery）の３つの仕様が規定されている。
(1) フォワード・ロック（Forward Lock）は、取得したコンテンツの転送を許容しない方式である。
(2) コンバインド・デリバリー（Combined Delivery）は、フォワード・ロック方式のコンテンツに権利（使用権の設定）を付加して配信する方式である。
(3) セパレート・デリバリー（Separate Delivery）は、暗号化されたコンテンツ（Media Object：メディアオブジェクト，ＭＯ）と、権利＋鍵（暗号化を解除するための鍵）部分（Rights Object：権利オブジェクト，ＲＯ）とを別々に配信する方式である。ここで、メディアオブジェクトはウェブからのダウンロードなどにより配信され、権利オブジェクトはＷＡＰプッシュにより配信される。移動端末上ではメディアオブジェクトと権利オブジェクトが揃って初めてそのコンテンツを再生することが可能となる。
【０００４】
ところで、第３世代の移動端末においては、ユーザは、ＳＩＭ（Subscriber Identity Module）カードを用いることにより、自己の名義で複数の移動端末を利用することができる。ＳＩＭカードは、携帯電話会社が発行する契約者情報を記録したＩＣカードであり、ＳＩＭカードの差し替えにより、複数の端末を同じ契約者扱いで利用することができる。
【０００５】
一方、所定の料金を支払ったユーザが所定の期間内にコンテンツを無制限にダウンロードできるようなサービスも実施されている。かかるサービスでは、コンテンツ提供事業者は、ダウンロードを要求してきた移動端末のユーザが正規の契約者であるかを判断するために、ダウンロード対象となるコンテンツとこのコンテンツをダウンロード可能なユーザとを関連付けて管理する必要がある。この場合、ダウンロード対象となるコンテンツとこのコンテンツを利用可能なユーザとの関連付けを、移動端末の製造番号を用いて行うと、上記サービスの契約者でない者が、名義人の移動端末にＳＩＭカードを差し込むことによって、上記サービスを利用して無制限にダウンロードできてしまう。そこで、ダウンロード対象のコンテンツとこのコンテンツを利用可能なユーザとの関連付けは、移動端末の製造番号ではなく、ＳＩＭカードに記載されたユーザ情報を用いて行われている。
【０００６】
ところが、契約者甲が、未契約者乙の移動端末ＡにＳＩＭカードを挿入し、正規にコンテンツＸをダウンロードして、その移動端末Ａに保存し、未契約者乙がＳＩＭカードを移動端末Ａに挿入した事例を考えると、この場合には、甲が購入してダウンロードしたコンテンツＸを未契約者乙が再生することができてしまう。この結果、契約者が無制限にダウンロードできることに着目して、複数の未契約者の移動端末にＳＩＭカードを挿入してコンテンツをダウンロードして保存することにより、未契約者がコンテンツ提供事業者に料金を支払うことなく、コンテンツを再生することが可能となってしまう。
【０００７】
そこで、このような問題点を解消するために、外部から取得したコンテンツを保存するときに、ＳＩＭカードから読み出したユーザ情報と関連付けて保存し、コンテンツを再生するときに、挿入されているＳＩＭカードに記録されているユーザ情報と前記コンテンツに関連付けられているユーザ情報とを比較し、異なる場合にはコンテンツの再生を禁止することが提案されている（特許文献１）。
また、該特許文献１には、外部から取得したコンテンツを、ＳＩＭカードに記録されているそのユーザ固有の暗号鍵情報により暗号化して保存し、該コンテンツを再生するときには、ＳＩＭカードから読み出した暗号鍵情報を用いて復号化することも記載されている。
【０００８】
【非特許文献１】The WAP Forum Ltd., "WAP 2.0 Technical White Paper", [on line], (2002.01.18), ［平成１６年４月２８日検索］，インターネット<URL: http://www.wapforum.org/what/WAPWhite_Paper1.pdf>
【非特許文献２】Open Mobile Alliance, "OMA Digital Rights Management version 1.0", [on line], [平成１６年４月２８日検索］，インターネット<URL: http://www.openmobilealliance.org/tech/release.html>
【特許文献１】特開２００４−１４７１８９号公報
【発明の開示】
【発明が解決しようとする課題】
【０００９】
上述のように、コンテンツとそのコンテンツを利用可能なユーザとの関連付けをＳＩＭカードに記載されたユーザ情報を用いて行い、コンテンツを取得したユーザ以外の者によちコンテンツが再生されることを防止することは提案されているが、暗号化されたコンテンツ（メディアオブジェクト）とこのコンテンツを復号化するための権利オブジェクトとが別々に配信される前記セパレート・デリバリーの場合についても、コンテンツを利用可能なユーザ以外の者がそのコンテンツを再生することを効果的に防止することが望まれる。
【００１０】
そこで本発明は、暗号化されたコンテンツとこのコンテンツを復号化するための権利オブジェクトとが別々に配信されるセパレート・デリバリー方式において、権利オブジェクトの配信を受けたユーザ以外のユーザはそのコンテンツを再生することができないようした移動端末装置を提供することを目的としている。
【課題を解決するための手段】
【００１１】
上記目的を達成するために、本発明の移動端末装置は、権利オブジェクトを受信したときに、該権利オブジェクトを、前記ＳＩＭカードインターフェース部に接続されているＳＩＭカードから読み出したユーザ情報に関連付けて前記メモリに保存し、コンテンツの再生を指示されたときに、前記ＳＩＭカードインターフェース部に接続されているＳＩＭカードから読み出したユーザ情報と、そのコンテンツに対応する権利オブジェクトに関連付けて記憶されている前記ユーザ情報とが相違しているときは、そのコンテンツの再生を禁止するようにしたものである。
また、前記メモリに保存した権利オブジェクトごとに、その権利オブジェクトを受信したときに前記ＳＩＭカードから読み出したユーザ情報を記憶したテーブルを記憶しているものである。
【発明の効果】
【００１２】
コンテンツ自体ではなく、そのコンテンツに対応する権利オブジェクトとこの権利オブジェクトを利用可能なユーザとの関連付けによりコンテンツの再生を管理しているため、権利オブジェクトの配信を受けたユーザ以外の者が当該コンテンツを再生することを防止することができる。
【発明を実施するための最良の形態】
【００１３】
図１は、本発明の移動端末装置（以下、単に「移動端末」という。）１のハードウェア構成の概略を示すブロック図である。
本発明の移動端末１は前述したＷＡＰ対応端末であり、図１に示すように、アンテナ１１、無線受信部や無線送信部などからなる無線通信部１２、音声信号処理やベースバンド信号処理などを行う信号処理部１３、送話用マイク１４、受話用スピーカ１５、この移動端末全体の制御を行う制御部１６、制御プログラムやコンテンツのダウンロードを行うプログラムなどの各種プログラムやダウンロードしたコンテンツ、その権利オブジェクトその他の各種データを記憶するメモリ１７、表示部１８、キー入力部１９、及び、ＳＩＭカード２１が挿入されるＳＩＭカードインターフェース部２０などから構成されている。
ユーザは、このように構成された移動端末１を用いてインターネットなどに接続し、所望のコンテンツ（メディアオブジェクト）とその権利オブジェクトを受信することができる。なお、権利オブジェクトのみを受信することもできる。
【００１４】
図２は、図示しないサーバ装置から所望のコンテンツ（メディアオブジェクト）に対応する権利オブジェクトを受信して前記メモリ１７に保存するときに、前記移動端末１において実行される処理の流れを示すフローチャートである。
図示しないサーバ装置から所望の権利オブジェクトを受信すると、前記ＳＩＭカードインターフェース部２０に接続されているＳＩＭカード２１から、ユーザ情報を読み出して（ステップＳ１）、該受信した権利オブジェクトに該読み出したユーザ情報を紐付けて前記メモリ１７に保存する（ステップＳ２）。ここで、前記ＳＩＭカード２１から読み出すユーザ情報としては、例えば、ＩＭＳＩ（International Mobile Subscriber Identity：国際加入者識別番号）などである。
このように、本発明の移動端末装置においては、権利オブジェクトを受信したときに、現在挿入されているＳＩＭカードからＩＭＳＩなどのユーザ情報を読み出して、受信した権利オブジェクトと該ユーザ情報とを関連付けて保存するようにしている。
【００１５】
図３は、受信した権利オブジェクトと前記ＳＩＭカード２１から読み出したユーザ情報とを関連付ける方法の一例を示す図である。
この図に示す方法は、権利オブジェクト毎にその権利オブジェクトの配信を受けたユーザ（その権利オブジェクトのオーナー）を記録した権利オブジェクトと所有者管理テーブル（以下、単に「管理テーブル」という。）を設け、該管理テーブルにより権利オブジェクトとユーザ情報を紐付けるようにしている。
図３の（ａ）に示すように、前記メモリ１７中に、該メモリ１７中に保存されている権利オブジェクトについて、権利オブジェクトとそのオーナーのユーザ情報を記録した管理テーブルを前記メモリ１７中に記憶している。この例では、権利オブジェクトＷ，Ｘ，Ｙがメモリ１７中に保存されており、権利オブジェクトＷのオーナーがＡ、権利オブジェクトＸとＹのオーナーがＢであることが記録されている。すなわち、権利オブジェクトＷはユーザＡのＳＩＭカードが挿入されているときにサーバから配信され、権利オブジェクトＸとＹはユーザＢのＳＩＭカードが挿入されているときにサーバから配信されたものであることが記録されている。
【００１６】
このような状況で、ユーザＡのＳＩＭカード２１が挿入されているときに、権利オブジェクトＺがサーバから配信されると、図３の（ｂ）に示すように、そのＳＩＭカード内のユーザ情報（この場合は、Ａ）が読み出され（前記図２のステップＳ１）、前記管理テーブル中に、権利オブジェクトＺとそのオーナーＡの情報が記録される（ステップＳ２）。このように、権利オブジェクトが受信されて保存されるときに、管理テーブルは更新される。
なお、同一の権利オブジェクトを異なるユーザが配信を受けたときは、それぞれの情報が前記管理テーブルに記録される。例えば、図３の（ａ）の状態で、ユーザＢのＳＩＭカードが挿入されているときに、権利オブジェクトＷが配信されると、権利オブジェクトＷとオーナーＢの情報が前記管理テーブルに追加されることとなる。
【００１７】
図４は、コンテンツ（メディアオブジェクト）を再生するときに、前記移動端末１において実行される処理の流れを示すフローチャートである。
前記キー入力部１９からのユーザのキー操作などにより、コンテンツの再生実行の指示が入力されると、まず、前記メモリ１７中に対応する権利オブジェクトが存在するか否かを検索する（ステップＳ１１）。そして、対応する権利オブジェクトが存在しないときは、コンテンツの再生が不可であることを前記表示部１８に表示するなどして処理を終了する（ステップＳ１５）。
前記メモリ１７中に対応する権利オブジェクトが記憶されている場合には、前記ＳＩＭカードインターフェース部２０に接続されているＳＩＭカード２１からそのユーザ情報を読み出して（ステップＳ１２）、その権利オブジェクトに紐付けられたユーザ情報と一致するか否かを判定する（ステップＳ１３）。すなわち、挿入されているＳＩＭカード２１から読み出したユーザ情報と、図３に示す管理テーブルに記録されているその権利オブジェクトのオーナーの情報とを比較する。
その結果、挿入されているＳＩＭカード２１中のユーザ情報とその権利オブジェクトのオーナーの情報とが一致しているときには、その権利オブジェクトを用いて指示されたコンテンツの暗号化を解除し、そのコンテンツを再生（コンテンツが画像データであるときは表示、音楽データであるときは再生、プログラムであるときは実行）する（ステップＳ１４）。
一方、挿入されているＳＩＭカード２１中のユーザ情報が前記管理テーブル中に記録されているオーナーの情報と異なるときは、前記ステップＳ１５に進み、コンテンツを再生することが不可であることを表示して処理を終了する。
【００１８】
なお、権利オブジェクトとユーザ情報とを紐付ける方法としては、上述した管理テーブルを用いる方法に限られることはない。例えば、権利オブジェクトをユーザ情報を暗号化キーとして用いて暗号化して保存し、当該コンテンツを再生するときに、挿入されているＳＩＭカードから読み出したユーザ情報によりその権利オブジェクトの暗号化を解除するようにしてもよい。
【００１９】
このように、本発明によれば、コンテンツ本体ではなく、その権利オブジェクトとその権利オブジェクトの配信を受けたユーザ（オーナー）の情報とを紐付けして記憶しているため、そのコンテンツを利用する権限を有しないユーザのＳＩＭカードが挿入されているときにそのコンテンツを再生することを防止することができる。
【図面の簡単な説明】
【００２０】
【図１】本発明の移動端末装置のハードウェア構成の一例を示す図である。
【図２】本発明の移動端末装置において、権利オブジェクトを受信してメモリに保存するときの処理の流れを示すフローチャートである。
【図３】権利オブジェクトとその所有者管理テーブルの一例を示す図である。
【図４】本発明の移動端末装置において、コンテンツを再生するときの処理の流れを示すフローチャートである。
【符号の説明】
【００２１】
１：移動端末装置、１１：アンテナ、１２：無線通信部、１３：信号処理部、１４：マイク、１５：スピーカ、１６：制御部、１７：メモリ、１８：表示部、１９：キー入力部、２０：ＳＩＭカードインターフェース部、２１：ＳＩＭカード
【図１】
2006074091.tif 000003
【図２】
2006074091.tif 000004
【図３】
2006074091.tif 000005
【図４】
2006074091.tif 000006